(57)【要約】【課題】従来より低コストの構成であっても、デュアルビュー表示において、いずれの映像が操作対象の映像であるのかを自動的に判定を行なうことができる表示装置を提供する。【解決手段】第１操作信号検出部１１の検出指向性は略９０°であり、第１操作信号検出部１１は、その検出角度が表示部１９の表示面から右方向の領域となるように配置されている。一方、第２操作信号検出部１２の検出指向性は略１８０°であり、第２操作信号検出部１２は表示部１９の表示面側を検出指向性とすべく配置されている。これにより、リモコン５が表示面から右方向の領域に存在する場合には、リモコン５から発信された操作信号は第１操作信号検出部１１及び第２操作信号検出部１２に検出され、一方、リモコン５が表示面から左方向の領域に存在する場合には、リモコン５から発信された操作信号は第２操作信号検出部１２にのみ検出され、第１操作信号検出部１１では検出されない。【選択図】図１
2008017054.tif 000002
【特許請求の範囲】
【請求項１】
表示面に対する方向によって異なる２つの映像が表示される表示装置において、
操作信号の検出範囲が異なる複数の検出手段と、
各検出手段による操作信号の検出結果に基づいて、前記操作信号の操作対象の映像を判定する判定手段と
を備えることを特徴とする表示装置。
【請求項２】
前記複数の検出手段は、
操作信号の検出範囲が一方の映像の方向に対応する角度範囲の第１検出手段と、
操作信号の検出範囲が両方の映像の方向に対応する角度範囲の第２検出手段と
を有し、
前記判定手段は、
前記第１検出手段及び前記第２検出手段にて操作信号が検出された場合に、前記一方の映像を操作対象の映像と判定するようにしてあること
を特徴とする請求項１に記載の表示装置。
【請求項３】
前記判定手段は、
前記第１検出手段にて操作信号が検出されず、かつ前記第２検出手段にて操作信号が検出された場合に、他方の映像を操作対象の映像と判定するようにしてあること
を特徴とする請求項２に記載の表示装置。
【請求項４】
前記複数の検出手段は、
操作信号の検出範囲が一方の映像の方向に対応する角度範囲の第１検出手段と、
操作信号の検出範囲が他方の映像の方向に対応する角度範囲の第２検出手段と
を有し、
前記判定手段は、
前記第２検出手段にて操作信号が検出されず、かつ前記第１検出手段にて操作信号が検出された場合に、前記一方の映像を操作対象の映像と判定するようにしてあること
を特徴とする請求項１に記載の表示装置。
【請求項５】
前記判定手段は、
前記第１検出手段にて操作信号が検出されず、かつ前記第２検出手段にて操作信号が検出された場合に、前記他方の映像を操作対象の映像と判定するようにしてあること
を特徴とする請求項４に記載の表示装置。
【請求項６】
前記判定手段は、
前記第１検出手段及び前記第２検出手段にて操作信号が検出された場合に、検出された操作信号を無効と判定するようにしてあること
を特徴とする請求項４又は請求項５に記載の表示装置。
【請求項７】
表示面に対する方向によって異なる２つの映像が表示される表示装置において、
操作信号を検出するための複数の適長離隔された検出手段と、
各検出手段によって検出された操作信号の時間差に基づいて、前記操作信号の操作対象の映像を判定する判定手段と
を備えることを特徴とする表示装置。
【請求項８】
前記判定手段は、
前記時間差が基準値より小さい場合に、検出された操作信号を無効と判定するようにしてあること
を特徴とする請求項７に記載の表示装置。
【請求項９】
表示面に対する視点の方向によって異なる２つの映像が表示される表示装置において、
操作信号を検出するための複数の適長離隔された検出手段と、
各検出手段によって検出された操作信号の強度差に基づいて、前記操作信号の操作対象の映像を判定する判定手段と
を備えることを特徴とする表示装置。
【請求項１０】
前記判定手段は、
前記強度差が基準値より小さい場合に、検出された操作信号を無効と判定するようにしてあること
を特徴とする請求項９に記載の表示装置。
【請求項１１】
前記判定手段にて操作信号が無効と判定された場合に、操作信号が無効であることを報知する報知手段を備えること
を特徴とする請求項６、請求項８又は請求項１０に記載の表示装置。
【発明の詳細な説明】
【技術分野】
【０００１】
本発明は、表示面に対する方向によって異なる２つの映像が表示される表示装置に関する。
【背景技術】
【０００２】
近年、異なる光学特性を有するパターン化位相差板を視差バリアとして用い、複数の視点に対して異なる映像を表示（デュアルビュー表示）する視差バリア方式の表示装置が提案されている。このような視差バリア方式の表示装置においては、表示領域のサイズを変更することなく、複数の方向に、方向によって異なる映像を同時に表示させることができる。
【０００３】
ところで、視差バリア方式の表示装置においては、表示させた各映像に対し、遠隔操作装置としてのリモコンによる遠隔操作を行なう場合、いずれの映像が操作対象であるかを認識させる必要がある。一般には、操作対象の映像を選択するための選択キーをリモコンに設けておき、選択キーの押下によって操作対象の映像を選択できるようにする。しかしながら、遠隔操作毎に選択キーを押下する必要があるため、その操作が煩雑になるという問題があった。
【０００４】
そこで、リモコンの位置を検出し、検出されたリモコンの位置に応じて対応する映像を認識し、その映像の遠隔操作に従って表示動作を制御することにより、リモコンによる遠隔操作を各映像に対応させるための選択操作を不要とする技術が開示されている（例えば、特許文献１参照。）。
【特許文献１】特開２００５−７３０７６号公報
【発明の開示】
【発明が解決しようとする課題】
【０００５】
しかしながら、特許文献１に開示された技術は、リモコンの位置を検出するために高価な専用センサを表示装置側に設ける必要があり、構成の高コスト化が避けられないという問題がある。
【０００６】
本発明は斯かる事情に鑑みてなされたものであり、従来より低コストの構成であっても、デュアルビュー表示において、いずれの映像が操作対象の映像であるのかを自動的に判定を行なうことができる表示装置の提供を目的とする。
【０００７】
また本発明は、デュアルビュー表示において、いずれの映像が操作対象の映像であるかの判定が不明確な場合、操作を無効とすることによって、誤操作を防止することができる表示装置の提供を目的とする。
【０００８】
さらに本発明は、デュアルビュー表示において、操作を無効とした場合に、操作信号が無効であることを報知することによって、ユーザにリモコンの発信位置を移動せしめて操作信号を再発信するように促し、発信位置の判定を正確に行なって、操作対象の映像がいずれの映像に対するものであるのかを的確に判断することができる表示装置の提供を目的とする。
【課題を解決するための手段】
【０００９】
本発明に係る表示装置は、表示面に対する方向によって異なる２つの映像が表示される表示装置において、操作信号の検出範囲が異なる複数の検出手段と、各検出手段による操作信号の検出結果に基づいて、前記操作信号の操作対象の映像を判定する判定手段とを備えることを特徴とする。
【００１０】
本発明にあっては、操作信号の検出範囲が異なる複数の検出手段を設ける。そして、各検出手段による操作信号の検出結果に基づいて操作信号の操作対象の映像を判定する。これにより、デュアルビュー表示において、いずれの映像が操作対象の映像であるのかを自動的に判定を行なって処理を実行することができる。また、操作信号が発信された位置によって自動的に操作対象の映像を識別することから、ユーザが誤操作をして他の映像を操作してしまうことを防止することができる。
【００１１】
本発明に係る表示装置は、前記複数の検出手段は、操作信号の検出範囲が一方の映像の方向に対応する角度範囲の第１検出手段と、操作信号の検出範囲が両方の映像の方向に対応する角度範囲の第２検出手段とを有し、前記判定手段は、前記第１検出手段及び前記第２検出手段にて操作信号が検出された場合に、前記一方の映像を操作対象の映像と判定するようにしてあることを特徴とする。
【００１２】
本発明にあっては、操作信号の検出範囲が一方の映像の方向に対応する角度範囲の第１検出手段と、操作信号の検出範囲が両方の映像の方向に対応する角度範囲の第２検出手段とから複数の検出手段を構成する。そして、第１検出手段及び第２検出手段の双方にて操作信号を検出した場合は、第１検出手段の検出範囲である一方の映像の方向に対応する角度範囲から操作信号が発信されたことになるので、一方の映像を操作対象の映像と判定する。
【００１３】
本発明に係る表示装置は、前記判定手段は、前記第１検出手段にて操作信号が検出されず、かつ前記第２検出手段にて操作信号が検出された場合に、他方の映像を操作対象の映像と判定するようにしてあることを特徴とする。
【００１４】
本発明にあっては、第１検出手段にて操作信号が検出されず、第２検出手段にて操作信号を検出した場合は、第１検出手段の検出範囲である一方の映像の方向に対応する角度範囲とは別の角度範囲から操作信号が発信されたこと、つまり、他方の映像の方向に対応する角度範囲から操作信号が発信されたことになるので、他方の映像を操作対象の映像と判定する。
【００１５】
本発明に係る表示装置は、前記複数の検出手段は、操作信号の検出範囲が一方の映像の方向に対応する角度範囲の第１検出手段と、操作信号の検出範囲が他方の映像の方向に対応する角度範囲の第２検出手段とを有し、前記判定手段は、前記第２検出手段にて操作信号が検出されず、かつ前記第１検出手段にて操作信号が検出された場合に、前記一方の映像を操作対象の映像と判定するようにしてあることを特徴とする。
【００１６】
本発明にあっては、操作信号の検出範囲が一方の映像の方向に対応する角度範囲の第１検出手段と、操作信号の検出範囲が他方の映像の方向に対応する角度範囲の第２検出手段とから複数の検出手段を構成する。そして、第２検出手段にて操作信号が検出されず、第１検出手段にて操作信号が検出された場合は、第１検出手段の検出範囲である一方の映像の方向に対応する角度範囲から操作信号が発信されたことになるので、一方の映像を操作対象の映像と判定する。
【００１７】
本発明に係る表示装置は、前記判定手段は、前記第１検出手段にて操作信号が検出されず、かつ前記第２検出手段にて操作信号が検出された場合に、前記他方の映像を操作対象の映像と判定するようにしてあることを特徴とする。
【００１８】
本発明にあっては、第１検出手段にて操作信号が検出されず、第２検出手段にて操作信号を検出した場合は、第２検出手段の検出範囲である他方の映像の方向に対応する角度範囲から操作信号が発信されたことになるので、他方の映像を操作対象の映像と判定する。
【００１９】
本発明に係る表示装置は、前記判定手段は、前記第１検出手段及び前記第２検出手段にて操作信号が検出された場合に、検出された操作信号を無効と判定するようにしてあることを特徴とする。
【００２０】
本発明にあっては、第１検出手段及び第２検出手段の双方にて操作信号が検出された場合に、検出された操作信号を無効と判定する。これは、双方にて操作信号を検出した場合、いずれの映像に対する操作信号であるかを判定するには操作信号の発信位置が不明確な位置に存在するためである。
【００２１】
本発明に係る表示装置は、表示面に対する方向によって異なる２つの映像が表示される表示装置において、操作信号を検出するための複数の適長離隔された検出手段と、各検出手段によって検出された操作信号の時間差に基づいて、前記操作信号の操作対象の映像を判定する判定手段とを備えることを特徴とする。
【００２２】
本発明にあっては、適長離隔して配置された複数の検出手段にて操作信号を検出する。各検出手段によって検出された操作信号の時間差から操作信号の発信方向が識別できるので、操作信号の時間差に基づいて操作信号の操作対象の映像を判定する。これにより、デュアルビュー表示において、いずれの映像が操作対象の映像であるのかを自動的に判定を行なって処理を実行することができる。また、操作信号が発信された位置によって自動的に操作対象の映像を識別することから、ユーザが誤操作をして他の映像を操作してしまうことを防止することができる。
【００２３】
本発明に係る表示装置は、前記判定手段は、前記時間差が基準値より小さい場合に、検出された操作信号を無効と判定するようにしてあることを特徴とする。
【００２４】
本発明にあっては、第１検出手段及び第２検出手段の操作信号の時間差が基準値より小さい場合に、検出された操作信号を無効と判定する。これは、操作信号の時間差が基準値より小さい場合、いずれの映像に対する操作信号であるかを判定するには操作信号の発信位置が不明確な位置に存在するためである。
【００２５】
本発明に係る表示装置は、表示面に対する視点の方向によって異なる２つの映像が表示される表示装置において、操作信号を検出するための複数の適長離隔された検出手段と、各検出手段によって検出された操作信号の強度差に基づいて、前記操作信号の操作対象の映像を判定する判定手段とを備えることを特徴とする。
【００２６】
本発明にあっては、適長離隔して配置された複数の検出手段にて操作信号を検出する。各検出手段によって検出された操作信号の強度差から操作信号の発信方向が識別できるので、操作信号の強度差に基づいて操作信号の操作対象の映像を判定する。これにより、デュアルビュー表示において、いずれの映像が操作対象の映像であるのかを自動的に判定を行なって処理を実行することができる。また、操作信号が発信された位置によって自動的に操作対象の映像を識別することから、ユーザが誤操作をして他の映像を操作してしまうことを防止することができる。
【００２７】
本発明に係る表示装置は、前記判定手段は、前記強度差が基準値より小さい場合に、検出された操作信号を無効と判定するようにしてあることを特徴とする。
【００２８】
本発明にあっては、第１検出手段及び第２検出手段の操作信号の強度差が基準値より小さい場合に、検出された操作信号を無効と判定する。これは、操作信号の強度差が基準値より小さい場合、いずれの映像に対する操作信号であるかを判定するには操作信号の発信位置が不明確な位置に存在するためである。
【００２９】
本発明に係る表示装置は、前記判定手段にて操作信号が無効と判定された場合に、操作信号が無効であることを報知する報知手段を備えることを特徴とする。
【００３０】
本発明にあっては、判定手段にて操作信号が無効と判定された場合に、操作信号が無効であることを報知する。これにより、ユーザに操作状況を報知し、ユーザにリモコンの発信位置を移動せしめて操作信号を再発信するように促すことができる。これによって、発信位置の判定を正確に行なって、操作対象の映像がいずれの映像に対するものであるのかを的確に判断することができる。
【発明の効果】
【００３１】
本発明によれば、リモコンの発信位置を検出するために高価な専用センサを設ける必要がなく、操作信号を検出するための複数の検出手段を設け、各検出手段の検出結果に基づいて、操作信号の操作対象の映像を判定する構成としたので、低コストの構成であっても、デュアルビュー表示において、いずれの映像が操作対象の映像であるのかを自動的に判定を行なうことができる。この結果、操作信号が発信された方向によって自動的に操作対象の映像を識別することから、ユーザが誤操作をして他の映像を操作してしまうことを防止することができる。
【００３２】
本発明によれば、デュアルビュー表示において、いずれの映像が操作対象の映像であるかの判定が不明確な場合、操作を無効とすることによって誤操作を防止することができる。
【００３３】
本発明によれば、デュアルビュー表示において、操作を無効とした場合に、操作信号が無効であることを報知することによって、ユーザにリモコンの発信位置を移動せしめて操作信号を再発信するように促し、発信位置の判定を正確に行なって、操作対象の映像がいずれの映像に対するものであるのかを的確に判断することができる等、優れた効果を奏する。
【発明を実施するための最良の形態】
【００３４】
以下、本発明をその実施の形態を示す図面に基づいて詳述する。
【００３５】
（実施の形態１）
図１は本発明の実施の形態１に係る表示装置の構成例を示すブロック図である。
本発明の実施の形態１に係る表示装置１は、マイコンで構成された制御部１０を備えている。制御部１０は、ＲＯＭ２０、第１操作信号検出部１１、第２操作信号検出部１２、セレクタ１７、映像処理部１８に接続され、これら各部を制御して、ＲＯＭ２０に格納されたコンピュータプログラムに従って種々の機能を実行する。
【００３６】
セレクタ１７は、Ｕ／Ｖチューナ１３、ＢＳデジタルチューナ１４、地上デジタルチューナ１５及び外部入力部１６に接続されており、各チューナは図示しない適宜のアンテナに接続される。また、外部入力部１６は、図示しないビデオプレイヤー、ＤＶＤプレイヤーなどの再生機器に接続される。セレクタ１７は、Ｕ／Ｖチューナ１３、ＢＳデジタルチューナ１４、地上デジタルチューナ１５及び外部入力部１６から出力されるいずれか２つの映像信号を選択する。なお、セレクタ１７が選択する映像信号は、ユーザが遠隔操作装置（リモコン）５を用いて指示を行なう。
【００３７】
セレクタ１７によって選択された２つの映像信号は映像処理部１８に出力され、映像処理部１８は、適宜の復号化処理を行なった後に、映像信号をＹ信号（輝度信号）／Ｃ信号（クロマ信号）に分離し、Ｙ信号／Ｃ信号から表示部１９を駆動するためのＲ，Ｇ，Ｂ信号を生成する。
【００３８】
また、映像処理部１８は、ＯＳＤ表示回路１８ａを内蔵しており、映像信号とＯＳＤ映像に係る映像信号とを合成するようになしてある。なお、ＯＳＤ映像はＲＯＭ２０に予め記憶させておく。
【００３９】
第１操作信号検出部１１及び第２操作信号検出部１２は、表示装置１に対応したリモコン５から発信された操作信号を検出するためのものであり、この操作信号によって表示装置１の動作が操作される。本例では、表示装置１とは別体のリモコン５を用いて表示装置１を遠隔操作する。もちろん、表示装置１の本体に操作部を設け、表示装置１を本体側で操作することも可能である。
【００４０】
第１操作信号検出部１１の検出指向性は略９０°であり、第２操作信号検出部１２の検出指向性は略１８０°である。第１操作信号検出部１１及び第２操作信号検出部１２は、ともに表示部１９の中央下側に配置されており、第１操作信号検出部１１は、その検出角度が表示部１９の表示面に対して右方向の領域となるように配置される。
【００４１】
制御部１０は、リモコン位置判定部１０ａを内蔵しており、リモコン位置判定部１０ａは、第１操作信号検出部１１及び第２操作信号検出部１２における操作信号の検出状況に基づいてリモコン位置を判定する。
【００４２】
より具体的には、第１操作信号検出部１１の検出の指向性が略９０°であり、操作信号を検出した場合、その指向性によって操作信号の発信位置の領域を特定することができる。つまり、第１操作信号検出部１１にて操作信号を検出した場合は、リモコン５が第１操作信号検出部１１にて感応できる領域に存在していると判定することができる。一方、第１操作信号検出部１１にて操作信号を検出しなかった場合は、リモコン５が第１操作信号検出部１１にて感応できる領域外に存在していると判定することができる。なお、後者の場合、操作信号がリモコン５から発信されたか否かは、検出指向性がより広い第２操作信号検出部１２による検出によって判断できる。そして、制御部１０は、リモコン位置判定部１０ａの判定結果に基づいて、操作信号が表示部１９のいずれの映像を対象とした操作信号であるかを判定する。
【００４３】
リモコン５は、マイコンで構成された制御部５０を備え、制御部５０はＲＯＭ５１、操作部５２、操作信号発信部５３などと接続され、これら各部を制御し、ＲＯＭ５１に予め格納されているコンピュータプログラムに従って種々の機能を実行する。
【００４４】
操作部５２は、表示装置１を操作するための各種のボタンキーを備えている（詳細は後述する）。ユーザによってボタンキーが押下されることで、制御部５０は、押下されたボタンキーに基づいて操作信号を生成し、操作信号を操作信号発信部５３から無線（電波、赤外線など）の形態で表示装置１へ発信する。
【００４５】
表示部１９は、複数の視点に対して異なる映像を表示する、いわゆるデュアルビュー表示が可能な液晶パネルで構成される。図２は表示部としての液晶パネルの構成を示す分解斜視図である。表示部１９は、スイッチ用の液晶パネル６１と映像表示用の液晶パネル６２との間に位相差板６３が配置された構成をしている。
【００４６】
液晶パネル６１及び６２の光入射面には偏光板６１ａ，６２ａが貼付されており、入射光の偏光方向が規制される。位相差板６３は、入射光を偏光させるものであって、本例では１／２位相差板を用いる。１／２位相差板は、入射光の偏光方向とラビング方向とのなす角度に応じて、その角度の２倍の偏光方向の光を出射させる機能を有する。本発明に用いる位相差板６３は、そのラビング方向が異なる第１領域６３ａと第２領域６３ｂとを交互に設ける。第１領域６３ａ及び第２領域６３ｂについては、図２に示したように横方向に交互に設けてもよいし、縦方向に交互に設けてもよく、また、横方向及び縦方向に交互に設けてもよい。
【００４７】
図３及び図４は表示部の動作を説明するための説明図である。
ここでは、一例として、鉛直方向を０°とした場合、偏光板６１ａが９０°、位相差板６３の第１領域６３ａにおけるラビング方向が−２２．５°、第２領域６３ｂにおけるラビング方向が−６７．５°、偏光板６２ａが−４５°である場合について説明する。
［デュアルビュー表示：スイッチ用の液晶パネルがオフされた場合（図３（ａ））］
スイッチ用の液晶パネル６１がオフされた場合、つまり液晶層に電圧が印加されない状態では、入射光が旋光することなく出射され、位相差板６３によって旋光される。
【００４８】
位相差板６３の第１領域６３ａと第２領域６３ｂとではラビング方向が異なることから、第１領域６３ａを通過した光と第２領域６３ｂを通過した光とでは、その偏光状態が異なる。つまり、位相差板６３の第１領域６３ａを通過する光は、その入射光の偏光方向と第１領域６３ａにおけるラビング方向とのなす角が６７．５°であることから、６７．５°の２倍、すなわち１３５°旋光することから、偏光方向は４５°となる。一方、位相差板６３の第２領域６３ｂを通過する光は、その入射光の偏光方向と第２領域６３ｂにおけるラビング方向とのなす角が２２．５°であることから、２２．５°の２倍、すなわち４５°旋光することから、偏光方向は−４５°となる。このように、第１領域６３ａを通過した光と第２領域６３ｂを通過した光とは偏光方向が９０°異なる。
【００４９】
したがって、映像表示用の液晶パネル６２の光入射面に−４５°方向の偏光板６２ａを貼付しておくことにより、第１領域６３ａを通過した光の液晶パネル６２への入射を規制し、第２領域６３ｂを通過した光のみ液晶パネル６２へ入射させる。これにより、第２領域６３ｂに対応する液晶パネル６２の領域Ｒでは、液晶層に印加する電圧を制御して電気光学特性によって決定される光透過率を制御することができる。一方、第１領域６３ａに対応する液晶パネル６２の領域Ｌでは、入射光の強度がゼロであることから、液晶層における光透過率を制御した場合であっても、出射光の強度はゼロである。つまり、領域Ｒでは映像が表示されるが、領域Ｌでは映像が表示されない。
【００５０】
［デュアルビュー表示：スイッチ用の液晶パネルがオンされた場合（図３（ｂ））］
スイッチ用の液晶パネル６１がオンされた場合、つまり液晶層に電圧が印加された場合は、液晶層の電気光学特性によって入射光が９０°旋光して出射され、位相差板６３によってさらに旋光される。
【００５１】
位相差板６３の第１領域６３ａを通過する光は、その入射光の偏光方向と第１領域６３ａにおけるラビング方向とのなす角が−２２．５°であることから、−２２．５°の２倍、すなわち−４５°旋光することから、偏光方向は−４５°となる。一方、位相差板６３の第２領域６３ｂを通過する光は、その入射光の偏光方向と第２領域６３ｂにおけるラビング方向とのなす角が−６７．５°であることから、−６７．５°の２倍、すなわち−１３５°旋光することから、偏光方向は４５°となる。このように、第１領域６３ａを通過した光と第２領域６３ｂを通過した光とは偏光方向が９０°異なる。
【００５２】
したがって、映像表示用の液晶パネル６２の光入射面に貼付した偏光板６２ａによって、第２領域６３ｂを通過した光の液晶パネル６２への入射を規制し、第１領域６３ａを通過した光のみ液晶パネル６２へ入射させる。これにより、第１領域６３ａに対応する液晶パネル６２の領域Ｌでは、液晶層に印加する電圧を制御して電気光学特性によって決定される光透過率を制御することができる。一方、第２領域６３ｂに対応する液晶パネル６２の領域Ｒでは、入射光の強度がゼロであることから、液晶層における光透過率を制御した場合であっても、出射光の強度はゼロである。つまり、領域Ｌでは映像が表示されるが、領域Ｒでは映像が表示されない。上述した如く、スイッチ用の液晶パネル６１のオン／オフによって、映像表示用の液晶パネル６２の領域Ｌでの映像の表示と、領域Ｒでの映像の表示とを切替える。
【００５３】
［通常表示（図４）］
通常表示では、スイッチ用の液晶パネル６１をオンさせ、入射光を４５°旋光して出射させる。
位相差板６３の第１領域６３ａを通過する光は、その入射光の偏光方向と第１領域６３ａにおけるラビング方向とのなす角が２２．５°であることから、２２．５°の２倍、すなわち４５°旋光することから、偏光方向は０°となる。一方、位相差板６３の第２領域６３ｂを通過する光は、その入射光の偏光方向と第２領域６３ｂにおけるラビング方向とのなす角が−２２．５°であることから、−２２．５°の２倍、すなわち−４５°旋光することから、偏光方向は９０°となる。このように、第１領域６３ａを通過した光と第２領域６３ｂを通過した光との偏光方向は９０°異なるが、映像表示用の液晶パネル６２の光入射面に貼付した偏光板６２ａに対して、いずれも４５°異なっており、同強度の光が液晶パネル６２へ入射される。
【００５４】
したがって、第１領域６３ａに対応する液晶パネル６２の領域Ｌ、及び第２領域６３ｂに対応する液晶パネル６２の領域Ｒで、液晶層に印加する電圧を制御して電気光学特性によって決定される光透過率を制御することができる。
【００５５】
図５は本発明の実施の形態１に係る表示装置を示す模式図であり、図５（ａ）は正面図、図５（ｂ）は上面図を示す。
本発明の実施の形態１に係る表示装置１は、表示部１９の中央下側に第１操作信号検出部１１及び第２操作信号検出部１２が配置されている。第１操作信号検出部１１の検出指向性は略９０°であり、第１操作信号検出部１１は、その検出角度が表示部１９の表示面から右方向の領域となるように配置されている。一方、第２操作信号検出部１２の検出指向性は略１８０°であり、第２操作信号検出部１２は表示部１９の表示面側を検出指向性とすべく配置されている。
【００５６】
これにより、リモコン５が表示面から右方向の領域に存在する場合には、リモコン５から発信された操作信号は第１操作信号検出部１１及び第２操作信号検出部１２に検出され、一方、リモコン５が表示面から左方向の領域に存在する場合には、リモコン５から発信された操作信号は第２操作信号検出部１２にのみ検出され、第１操作信号検出部１１では検出されない。したがって、操作信号が第１操作信号検出部１１のみにて検出されたか、又は第１操作信号検出部１１及び第２操作信号検出部１２にて検出されたか、によってリモコン５の位置を判定することができる。
【００５７】
図６は本発明に用いる表示装置用のリモコンの模式図である。リモコン５は、その表面に表示装置の操作を行なうためのボタン型の各種の操作キーを備えている。
【００５８】
デュアルビューキー５２２は、ユーザが押下することによって、デュアルビュー表示を指示するためのものであり、押下されるごとにデュアルビュー表示の切り替えを行なう旨の操作信号を生成し、操作信号発信部５３から表示装置１に向けて発信する。例えば、デュアルビューキー５２２が押下されるとデュアルビュー表示に切り替わり、デュアルビュー表示が行なわれているときに、デュアルビューキー５２２が押下されると通常表示に切り替わる。
【００５９】
メニューキー５２４は、表示装置１のコントラスト、明るさ、フォーカス、色相、色温度などの設定を行なうためのＯＳＤ映像（メニュー映像）を表示部１９に表示する旨を指示するためのものであり、押下されるごとにメニュー表示の切り替えを行なう旨の操作信号を生成し、操作信号発信部５３から表示装置１に向けて発信する。カーソル／決定キー５２５は、メニュー表示された映像に従ってユーザが上述したような各種の設定を行なうためのものである。
【００６０】
チャンネルキーは、予め放送局を割り当てた１〜１２チャンネルのうちの所望の放送局を選曲するためダイレクトキー５２６、及び現在選曲中のチャンネルをインクリメント又はデクリメントする上下キー５２７から構成される。例えば、ダイレクトキー５２６は、押下されたチャンネルキーに応じてチャンネル選択のための操作信号を生成し、操作信号発信部５３から表示装置１に向けて発信する。
【００６１】
図７は本発明の実施の形態１に係る表示装置が行なう処理手順を示すフローチャートである。なお、処理手順は一例であってこれに限るものではない。また、このような処理手順は制御プログラムをＲＯＭ２０に組み込んでおくことにより行なうことができる。
【００６２】
表示装置１は、第２操作信号検出部１２にて操作信号の検出を監視しており（ステップＳ１）、第２操作信号検出部１２にて操作信号を検出すると（Ｓ１：ＹＥＳ）、現在の表示モードがデュアルビュー表示であるか否かを判定する（ステップＳ２）。デュアルビュー表示でないと判定された場合（Ｓ２：ＮＯ）、シングルビュー表示であることから、通常操作を実行する（ステップＳ８）。一方、デュアルビュー表示であると判定された場合（Ｓ２：ＹＥＳ）、第１操作信号検出部１１においても操作信号を検出したか否かを判定する（ステップＳ３）。
【００６３】
第１操作信号検出部１１においても操作信号を検出した場合（Ｓ３：ＹＥＳ）、第１操作信号検出部の検出範囲（検出角）に対応する映像（ここでは右映像）に対する操作信号であると判定し（ステップＳ４）、右映像に対する操作を実行する（ステップＳ５）。これは、第１操作信号検出部１１及び第２操作信号検出部１２の両方にて操作信号ＳＩＧを検出した場合、検出角の小さい第１操作信号検出部１１の検出方向にリモコン５が存在し、その方向から操作信号ＳＩＧが発信されたことから、リモコン５の操作対象は、第１操作信号検出部１１の検出方向を視点とする映像（右映像）に対するものであると推定できるためである（図８（ａ））。
【００６４】
一方、第１操作信号検出部１１においては操作信号を検出しなかった場合（Ｓ３：ＮＯ）、第１操作信号検出部１１の検出範囲に対応する映像とは別の映像（ここでは左映像）に対する操作信号であると判定し（ステップＳ６）、左映像に対する操作を実行する（ステップＳ７）。これは、第２操作信号検出部１２では操作信号ＳＩＧを検出したが、第１操作信号検出部１１では操作信号ＳＩＧを検出しなかった場合、検出角の小さい第１操作信号検出部１１の検出方向にリモコン５が存在しない、つまりその方向とは別の方向から操作信号ＳＩＧが発信されたことから、リモコン５の操作対象は、第１操作信号検出部１１の検出方向を視点とする映像とは別の映像（左映像）に対するものであると推定できるためである（図８（ｂ））。
【００６５】
これにより、デュアルビュー表示において、いずれの映像がリモコン５による操作対象の映像であるのかを表示装置１が自動的に判定を行なって処理を実行することから、ユーザは通常モードと同様の操作を行なうだけよく、デュアルビュー表示時のリモコン操作が容易になる。特に、本実施の形態では、操作信号検出部を１つではなく、指向性の異なる複数（２つ）の操作信号検出部を設けることにより、その処理が極めて簡単で、かつコスト的にも安価である。
【００６６】
また、リモコン５の位置によって自動的に操作対象の映像を表示装置１が識別することから、ユーザが誤操作をして他の映像を操作してしまうことを防止するという効果もある。
【００６７】
（実施の形態２）
図９は本発明の実施の形態２に係る表示装置を示す模式図であり、図９（ａ）は正面図、図９（ｂ）は上面図を示す。なお、本発明の実施の形態２に係る表示装置の構成は実施の形態１（図１）と略同様であり、その説明を省略する。
【００６８】
本発明の実施の形態２に係る表示装置２は、表示部２９の左下側に第１操作信号検出部２１が、表示部２９の右下側に第２操作信号検出部２２が配置されている。第１操作信号検出部２１及び第２操作信号検出部２２の検出指向性は略１００°であり、第１操作信号検出部２１は、その検出角度が表示部２９の表示面から右方向の領域Ｒとなるように配置され、第２操作信号検出部２２は、その検出角度が表示部２９の表示面から左方向の領域Ｌとなるように配置されている。
【００６９】
これにより、リモコン５が表示面から右方向の領域Ｒに存在する場合には、リモコン５から発信された操作信号は第１操作信号検出部２１に検出され、一方、リモコン５が表示面から左方向の領域Ｌに存在する場合には、リモコン５から発信された操作信号は第２操作信号検出部２２に検出される。つまり、リモコン５の位置によって、第１操作信号検出部２１又は第２操作信号検出部２２のうちのいずれかに検出される。
【００７０】
図１０及び図１１は本発明の実施の形態２に係る表示装置が行なう処理手順を示すフローチャートである。なお、処理手順は一例であってこれに限るものではない。
【００７１】
表示装置２は、第１操作信号検出部２１及び第２操作信号検出部２２にて操作信号の検出を監視しており（ステップＳ１１）、第１操作信号検出部２１又は第２操作信号検出部２２にて操作信号を検出すると（Ｓ１１：ＹＥＳ）、現在の表示モードがデュアルビュー表示であるか否かを判定する（ステップＳ１２）。デュアルビュー表示でないと判定された場合（Ｓ１２：ＮＯ）、シングルビュー表示であることから、通常操作を実行する（ステップＳ１３）。一方、デュアルビュー表示であると判定された場合（Ｓ１２：ＹＥＳ）、第１操作信号検出部２１及び第２操作信号検出部２２の両方において操作信号を検出したか否かを判定する（ステップＳ１４）。
【００７２】
第１操作信号検出部２１及び第２操作信号検出部２２の両方において操作信号を検出した場合（Ｓ１４：ＹＥＳ）、操作信号が無効であると判定し（ステップＳ１５）、操作信号が無効である旨を両映像（右映像及び左映像）に重ねて表示する（ステップＳ１６）。これは、第１操作信号検出部２１及び第２操作信号検出部２２の両方にて操作信号を検出した場合、いずれの映像に対する操作信号であるかを判定するにはリモコン５の位置が不明確な位置に存在するためである。したがって、操作信号が無効である旨を両映像に重ねて表示することによって、ユーザはリモコン５を移動させて操作信号を再発信させる。これによって、操作対象の映像がいずれの映像に対するものであるのかを的確に判断することができる。
【００７３】
第１操作信号検出部２１及び第２操作信号検出部２２の両方において操作信号を検出しなかった場合（Ｓ１４：ＮＯ）、第１操作信号検出部２１においてのみ操作信号を検出したか否かを判定する（ステップＳ１７）。
【００７４】
第１操作信号検出部２１において操作信号を検出したと判定された場合（Ｓ１７：ＹＥＳ）、第１操作信号検出部２１の検出範囲に対応する映像（ここでは右映像）に対する操作信号であると判定し（ステップＳ１８）、右映像に対する操作を実行する（ステップＳ１９）。これは、第１操作信号検出部２１にて操作信号ＳＩＧを検出した場合、第１操作信号検出部２１の検出方向にリモコン５が存在し、その方向から操作信号ＳＩＧが発信されたことから、リモコン５の操作対象は、第１操作信号検出部２１の検出方向を視点とする映像（右映像）に対するものであると推定できるためである（図１２（ａ））。
【００７５】
一方、第１操作信号検出部２１においては操作信号を検出しなかった場合（Ｓ１７：ＮＯ）、第２操作信号検出部２２において操作信号を検出したことになるので、第２操作信号検出部２２の検出範囲に対応する映像（ここでは左映像）に対する操作信号であると判定し（ステップＳ２０）、左映像に対する操作を実行する（ステップＳ２１）。これは、第１操作信号検出部２１では操作信号ＳＩＧを検出しなかったが、第２操作信号検出部２２で操作信号ＳＩＧを検出した場合、第２操作信号検出部２２の検出方向にリモコン５が存在することから、リモコン５の操作対象は、第２操作信号検出部５２の検出方向を視点とする映像（左映像）に対するものであると推定できるためである（図１２（ｂ））。
【００７６】
これにより、デュアルビュー表示において、いずれの映像がリモコン５による操作対象の映像であるのかを表示装置２が自動的に判定を行なって処理を実行することから、ユーザは通常モードと同様の操作を行なうだけよく、デュアルビュー表示時のリモコン操作が容易になる。特に、本実施の形態では、操作信号検出部を１つではなく、指向性が略１００°の複数（２つ）の操作信号検出部を設けることにより、その処理が極めて簡単で、かつコスト的にも安価である。
【００７７】
また、リモコン５の位置によって自動的に操作対象の映像を表示装置２が識別することから、ユーザが誤操作をして他の映像を操作してしまうことを防止するという効果もある。
【００７８】
（実施の形態３）
図１３は本発明の実施の形態３に係る表示装置を示す模式図であり、図１３（ａ）は正面図、図１３（ｂ）は上面図を示す。なお、本発明の実施の形態３に係る表示装置の構成は実施の形態１（図１）と略同様であり、その説明を省略する。
【００７９】
本発明の実施の形態３に係る表示装置３は、表示部３９の左端下側に第１操作信号検出部３１が、表示部３９の右端下側に第２操作信号検出部３２が配置されている。第１操作信号検出部３１及び第２操作信号検出部３２の検出指向性は略１８０°であり、リモコン５から検出された操作信号を両検出部にて検出する。
【００８０】
リモコン５の位置によって、リモコン５から発信された操作信号の第１操作信号検出部３１及び第２操作信号検出部３２における到達時間に時間差が生じる。つまり、リモコン５が表示面から右方向の領域Ｒに存在する場合には、リモコン５から発信された操作信号は第１操作信号検出部３１に検出された後に、第２操作信号検出部３２に検出される。一方、リモコン５が表示面から左方向の領域Ｌに存在する場合には、リモコン５から発信された操作信号は第２操作信号検出部３２に検出された後に、第１操作信号検出部３１に検出される。したがって、第１操作信号検出部３１及び第２操作信号検出部３２における操作信号の到達時間の時間差に基づいて、リモコン５の位置を判定する。
【００８１】
図１４及び図１５は本発明の実施の形態３に係る表示装置が行なう処理手順を示すフローチャートである。なお、処理手順は一例であってこれに限るものではない。
【００８２】
表示装置３は、第１操作信号検出部３１及び第２操作信号検出部３２にて操作信号の検出を監視しており（ステップＳ３１）、第１操作信号検出部３１及び第２操作信号検出部３２の双方にて操作信号を検出すると（Ｓ３１：ＹＥＳ）、現在の表示モードがデュアルビュー表示であるか否かを判定する（ステップＳ３２）。デュアルビュー表示でないと判定された場合（Ｓ３２：ＮＯ）、シングルビュー表示であることから、通常操作を実行する（ステップＳ３３）。
【００８３】
一方、デュアルビュー表示であると判定された場合（Ｓ３２：ＹＥＳ）、各操作信号検出部３１，３２にて検出した操作信号の時間差を算出する（ステップＳ３４）。そして、算出された時間差が基準値より小さいか否かを判定し（ステップＳ３５）、時間差が基準値より小さい場合（Ｓ３５：ＹＥＳ）、操作信号が無効であると判定し（ステップＳ３６）、操作信号が無効である旨を両映像（右映像及び左映像）に重ねて表示する（ステップＳ３７）。これは、第１操作信号検出部３１及び第２操作信号検出部３２にて検出した操作信号の時間差が基準値より小さい場合、いずれの映像に対する操作信号であるかを判定するにはリモコン５の位置が不明確な位置に存在するためである。したがって、操作信号が無効である旨を両映像に重ねて表示することによって、ユーザはリモコン５を移動させて操作信号を再発信させる。これによって、操作対象の映像がいずれの映像に対するものであるのかを的確に判断することができる。
【００８４】
各操作信号検出部３１，３２にて検出した操作信号の時間差が基準値より小さくない場合（Ｓ３５：ＮＯ）、算出された時間差に基づいて、第１操作信号検出部３１が第２操作信号検出部３２より早く操作信号を検出したか否かを判定する（ステップＳ３８）。
【００８５】
第１操作信号検出部３１が第２操作信号検出部３２より早く操作信号を検出した場合（Ｓ３８：ＹＥＳ）、第１操作信号検出部３１の検出範囲に対応する映像（ここでは右映像）に対する操作信号であると判定し（ステップＳ３９）、右映像に対する操作を実行する（ステップＳ４０）。これは、第１操作信号検出部３１が第２操作信号検出部３２より早く操作信号ＳＩＧを検出した場合（第１操作信号検出部３１の検出時間Ｔ１＜第２操作信号検出部３２の検出時間Ｔ２）、リモコン５の位置が第１操作信号検出部３１に近いことと等価であることから、第１操作信号検出部３１の検出方向にリモコン５が存在し、その方向から操作信号ＳＩＧが発信されたと判断し、リモコン５の操作対象は、第１操作信号検出部３１の検出方向を視点とする映像（右映像）に対するものであると推定できるためである（図１６（ａ））。
【００８６】
一方、第１操作信号検出部３１が第２操作信号検出部３２より早く操作信号を検出しなかった場合（Ｓ３８：ＮＯ）、第２操作信号検出部３２の検出範囲に対応する映像（ここでは左映像）に対する操作信号であると判定し（ステップＳ４１）、左映像に対する操作を実行する（ステップＳ４２）。これは、第１操作信号検出部３１が第２操作信号検出部３２より早く操作信号ＳＩＧを検出しなかった場合、つまり、第２操作信号検出部３２が第１操作信号検出部３１より早く操作信号ＳＩＧを検出した場合（第１操作信号検出部３１の検出時間Ｔ１＞第２操作信号検出部３２の検出時間Ｔ２）、リモコン５の位置が第２操作信号検出部３２に近いことと等価であることから、第２操作信号検出部３２の検出方向にリモコン５が存在し、その方向から操作信号ＳＩＧが発信されたと判断し、リモコン５の操作対象は、第２操作信号検出部３２の検出方向を視点とする映像（左映像）に対するものであると推定できるためである（図１６（ｂ））。
【００８７】
これにより、デュアルビュー表示において、いずれの映像がリモコン５による操作対象の映像であるのかを表示装置３が自動的に判定を行なって処理を実行することから、ユーザは通常モードと同様の操作を行なうだけよく、デュアルビュー表示時のリモコン操作が容易になる。特に、本実施の形態では、操作信号検出部を１つではなく、全指向性（略１８０°）の複数（２つ）の操作信号検出部を設けることにより、その処理が極めて簡単で、かつコスト的にも安価である。
【００８８】
また、リモコン５の位置によって自動的に操作対象の映像を表示装置３が識別することから、ユーザが誤操作をして他の映像を操作してしまうことを防止するという効果もある。
【００８９】
（実施の形態４）
図１７は本発明の実施の形態４に係る表示装置を示す模式図であり、図１７（ａ）は正面図、図１７（ｂ）は上面図を示す。なお、本発明の実施の形態４に係る表示装置の構成は実施の形態１（図１）と略同様であり、その説明を省略する。
【００９０】
本発明の実施の形態４に係る表示装置４は、表示部４９の左端下側に第１操作信号検出部４１が、表示部４９の右端下側に第２操作信号検出部４２が配置されている。第１操作信号検出部４１及び第２操作信号検出部４２の検出指向性は略１８０°であり、リモコン５から発信された操作信号を両検出部にて検出する。
【００９１】
リモコン５の位置によって、リモコン５から発信された操作信号の第１操作信号検出部４１及び第２操作信号検出部４２における信号強度に差が生じる。つまり、リモコン５が表示面から右方向の領域Ｒに存在する場合には、第１操作信号検出部４１にて検出した操作信号の信号強度が第２操作信号検出部４２にて検出した操作信号より高くなる。一方、リモコン５が表示面から左方向の領域Ｌに存在する場合には、第２操作信号検出部４２にて検出した操作信号の信号強度が第１操作信号検出部４１にて検出した操作信号より高くなる。したがって、第１操作信号検出部４１及び第２操作信号検出部４２における操作信号の信号強度差に基づいて、リモコン５の位置を判定する。
【００９２】
図１８及び図１９は本発明の実施の形態４に係る表示装置が行なう処理手順を示すフローチャートである。なお、処理手順は一例であってこれに限るものではない。
【００９３】
表示装置４は、第１操作信号検出部４１及び第２操作信号検出部４２にて操作信号の検出を監視しており（ステップＳ５１）、第１操作信号検出部４１及び第２操作信号検出部４２の双方にて操作信号を検出すると（Ｓ５１：ＹＥＳ）、現在の表示モードがデュアルビュー表示であるか否かを判定する（ステップＳ５２）。デュアルビュー表示でないと判定された場合（Ｓ５２：ＮＯ）、シングルビュー表示であることから、通常操作を実行する（ステップＳ５３）。
【００９４】
一方、デュアルビュー表示であると判定された場合（Ｓ５２：ＹＥＳ）、各操作信号検出部４１，４２にて検出した操作信号の信号強度を検出し（ステップＳ５４）、検出した操作信号の信号強度の差（強度差）を算出する（ステップＳ５５）。そして、算出された強度差が基準値より小さいか否かを判定し（ステップＳ５６）、強度差が基準値より小さい場合（Ｓ５６：ＹＥＳ）、操作信号が無効であると判定し（ステップＳ５７）、操作信号が無効である旨を両映像（右映像及び左映像）に重ねて表示する（ステップＳ５８）。これは、第１操作信号検出部４１及び第２操作信号検出部４２にて検出した操作信号の強度差が基準値より小さい場合、いずれの映像に対する操作信号であるかを判定するにはリモコン５の位置が不明確な位置に存在するためである。したがって、操作信号が無効である旨を両映像に重ねて表示することによって、ユーザはリモコン５を移動させて操作信号を再発信させる。これによって、操作対象の映像がいずれの映像に対するものであるのかを的確に判断することができる。
【００９５】
各操作信号検出部４１，４２にて検出した操作信号の強度差が基準値より小さくない場合（Ｓ５６：ＮＯ）、算出された強度差に基づいて、第１操作信号検出部４１にて検出した操作信号の信号強度が第２操作信号検出部４２にて検出した操作信号より高いか否かを判定する（ステップＳ５９）。
【００９６】
第１操作信号検出部４１にて検出した操作信号の信号強度が第２操作信号検出部４２にて検出した操作信号より高い場合（Ｓ５９：ＹＥＳ）、第１操作信号検出部４１の検出範囲に対応する映像（ここでは右映像）に対する操作信号であると判定し（ステップＳ６０）、右映像に対する操作を実行する（ステップＳ６１）。これは、第１操作信号検出部４１にて検出した操作信号ＳＩＧの信号強度が第２操作信号検出部４２にて検出した操作信号ＳＩＧより高い場合（第１操作信号検出部４１の検出信号レベルＬ１＞第２操作信号検出部４２の検出信号レベルＬ２）、リモコン５の位置が第１操作信号検出部４１に近いことと等価であることから、第１操作信号検出部４１の検出方向にリモコン５が存在し、その方向から操作信号ＳＩＧが発信されたと判断し、リモコン５の操作対象は、第１操作信号検出部５１の検出方向を視点とする映像（右映像）に対するものであると推定できるためである（図２０（ａ））。
【００９７】
一方、第１操作信号検出部４１にて検出した操作信号の信号強度が第２操作信号検出部４２にて検出した操作信号より高くない場合（Ｓ５９：ＮＯ）、第２操作信号検出部４２の検出範囲に対応する映像（ここでは左映像）に対する操作信号であると判定し（ステップＳ６２）、左映像に対する操作を実行する（ステップＳ６３）。これは、第１操作信号検出部４１にて検出した操作信号ＳＩＧの信号強度が第２操作信号検出部４２にて検出した操作信号ＳＩＧより高くない場合、つまり、第２操作信号検出部４２にて検出した操作信号ＳＩＧの信号強度が第１操作信号検出部４１にて検出した操作信号ＳＩＧより高い場合（第１操作信号検出部４１の検出信号レベルＬ１＜第２操作信号検出部４２の検出信号レベルＬ２）、リモコン５の位置が第２操作信号検出部４２に近いことと等価であることから、第２操作信号検出部４２の検出方向にリモコン５が存在し、その方向から操作信号ＳＩＧが発信されたと判断し、リモコン５の操作対象は、第２操作信号検出部４２の検出方向を視点とする映像（左映像）に対するものであると推定できるためである（図２０（ｂ））。
【００９８】
これにより、デュアルビュー表示において、いずれの映像がリモコン５による操作対象の映像であるのかを表示装置４が自動的に判定を行なって処理を実行することから、ユーザは通常モードと同様の操作を行なうだけよく、デュアルビュー表示時のリモコン操作が容易になる。特に、本実施の形態では、操作信号検出部を１つではなく、全指向性（略１８０°）の複数（２つ）の操作信号検出部を設けることにより、その処理が極めて簡単で、かつコスト的にも安価である。
【００９９】
また、リモコン５の位置によって自動的に操作対象の映像を表示装置４が識別することから、ユーザが誤操作をして他の映像を操作してしまうことを防止するという効果もある。
【０１００】
なお、実施の形態では、視差バリア方式の表示装置を一例にデュアルビュー表示が可能な形態について説明したが、複数の方向に、方向によって異なる映像が表示される表示装置であれば、その形態について限定されるものではなく、本発明の主旨を適用できる。
【図面の簡単な説明】
【０１０１】
【図１】本発明の実施の形態１に係る表示装置の構成例を示すブロック図である。
【図２】表示部としての液晶パネルの構成を示す分解斜視図である。
【図３】表示部の動作を説明するための説明図である。
【図４】表示部の動作を説明するための説明図である。
【図５】本発明の実施の形態１に係る表示装置を示す模式図である。
【図６】本発明に用いる表示装置用のリモコンの模式図である。
【図７】本発明の実施の形態１に係る表示装置が行なう処理手順を示すフローチャートである。
【図８】本発明の実施の形態１に係る表示装置が行なう判定処理の様子を示す図である
【図９】本発明の実施の形態２に係る表示装置を示す模式図である。
【図１０】本発明の実施の形態２に係る表示装置が行なう処理手順を示すフローチャートである。
【図１１】本発明の実施の形態２に係る表示装置が行なう処理手順を示すフローチャートである。
【図１２】本発明の実施の形態２に係る表示装置が行なう判定処理の様子を示す図である
【図１３】本発明の実施の形態３に係る表示装置を示す模式図である。
【図１４】本発明の実施の形態３に係る表示装置が行なう処理手順を示すフローチャートである。
【図１５】本発明の実施の形態３に係る表示装置が行なう処理手順を示すフローチャートである。
【図１６】本発明の実施の形態３に係る表示装置が行なう判定処理の様子を示す図である
【図１７】本発明の実施の形態４に係る表示装置を示す模式図である。
【図１８】本発明の実施の形態４に係る表示装置が行なう処理手順を示すフローチャートである。
【図１９】本発明の実施の形態４に係る表示装置が行なう処理手順を示すフローチャートである。
【図２０】本発明の実施の形態４に係る表示装置が行なう判定処理の様子を示す図である
【符号の説明】
【０１０２】
１，２，３，４  表示装置
１０  制御部
１０ａ  リモコン位置判定部
１１，２１，３１，４１  第１操作信号検出部
１２，２２，３２，４２  第２操作信号検出部
１３  Ｕ／Ｖチューナ部
１４  ＢＳデジタルチューナ部
１５  地上デジタルチューナ部
１６  外部入力部
１７  セレクタ
１８  映像処理部
１８ａ  ＯＳＤ表示回路
１９  表示部
２０  ＲＯＭ
５  リモコン
５０  制御部
５１  ＲＯＭ
５２  操作部
５３  操作信号発信部
６１，６２  液晶パネル
６１ａ，６２ａ  偏光板
６３  位相差板
【図１】
2008017054.tif 000003
【図２】
2008017054.tif 000004
【図３】
2008017054.tif 000005
【図４】
2008017054.tif 000006
【図５】
2008017054.tif 000007
【図６】
2008017054.tif 000008
【図７】
2008017054.tif 000009
【図８】
2008017054.tif 000010
【図９】
2008017054.tif 000011
【図１０】
2008017054.tif 000012
【図１１】
2008017054.tif 000013
【図１２】
2008017054.tif 000014
【図１３】
2008017054.tif 000015
【図１４】
2008017054.tif 000016
【図１５】
2008017054.tif 000017
【図１６】
2008017054.tif 000018
【図１７】
2008017054.tif 000019
【図１８】
2008017054.tif 000020
【図１９】
2008017054.tif 000021
【図２０】
2008017054.tif 000022